(57)【特許請求の範囲】
【請求項１】
座っている人（８）の首や喉の筋肉を楽にするためのヘッドレスト（１）であって、前記ヘッドレスト（１）が、人（８）の頭部（４）の周囲に導かれうるように配置されるヘッドバンド（２）と、椅子の背もたれ（６）の一部に固定されうるように配置されるシートバンド（５）と、前記ヘッドバンド（２）の額部分（２２）を前記シートバンド（５）と接続させるネックバンド（３）とを具えるヘッドレストにおいて、前記ヘッドバンド（２）が、前記ネックバンド（３）の長手方向に可動に配置されており、前記ネックバンド（３）が、１つの連続したバンドで構成されており、前記ネックバンド（３）の第１の端部が、前記シートバンド（５）にしっかりと固定されており、前記ネックバンド（３）の第２の端部が、前記シートバンド（５）にしっかりと固定されていることを特徴とするヘッドレスト。
【請求項２】
請求項１のヘッドレスト（１）において、前記シートバンド（５）が、柔軟な材料で構成されていることを特徴とするヘッドレスト。
【請求項３】
請求項１のヘッドレスト（１）において、前記椅子の背もたれ（６）に面する部分にある前記シートバンド（５）に、摩擦材料が設けられていることを特徴とするヘッドレスト。
【請求項４】
請求項１のヘッドレスト（１）において、前記ヘッドバンド（２）が、柔軟な材料で構成されていることを特徴とするヘッドレスト。
【請求項５】
請求項１のヘッドレスト（１）において、前記ヘッドバンド（２）の額部分（２２）が、人（８）の目の弓形部分の上に位置するように配置されていることを特徴とするヘッドレスト。
【請求項６】
請求項１のヘッドレスト（１）において、前記ネックバンド（３）が、柔軟な材料で構成されていることを特徴とするヘッドレスト。
【請求項７】
請求項２、４又は６のヘッドレスト（１）において、前記柔軟な材料が、柔軟な織物材料で構成されていることを特徴とするヘッドレスト。
【請求項８】
請求項１のヘッドレスト（１）において、前記額部分（２２）のヘッドバンド（２）に、前記ネックバンド（３）を差し込むように配置されるガイド（２４）が設けられていることを特徴とするヘッドレスト。
【請求項９】
請求項１に記載のヘッドレスト（１）において、前記額部分（２２）のヘッドバンド（２）に、アイマスクが設けられていることを特徴とするヘッドレスト。
【請求項１０】
請求項１に記載のヘッドレスト（１）を用いることにより座っている人（８）の首や喉の筋肉を楽にするための方法であって、シートバンド（５）を椅子の背もたれ（６）の周りに配置するステップと、ヘッドバンド（２）を人（８）の頭部（４）の周りに配置するステップとを具え、前記ヘッドバンド（２）の額部分（２２）が、人（８）の目の弓形部分の上に配置されていることを特徴とする方法。
【発明の詳細な説明】
【技術分野】
【０００１】
本発明は、長い旅程の旅行の快適性を増大させる装置に関する。より具体的には、本発明は、首や喉の筋肉を楽にする装置に関するとともに、十分に安定したグリップで頭部を保持し、これにより椅子又は同様のものに座っている人が快適な睡眠位置をとることができる。
【背景技術】
【０００２】
車、バス、電車又は飛行機及び船によって移動する人は、椅子に座って旅行時間の大部分を過ごす。特に、長い旅程、時には短い旅程において、人が一服したり、眠ったりすることができる快適な着座位置を見つけることは望ましい。頭部は容易に一片側又は前方に垂れることが知られており、これは不快な着座位置となり、かつ人を起こすことになる場合もある。ずっと同じ位置に座ることは快適ではない。人の頭部を回せること、身体の上部を回せること、及び座席で前後に位置を変更できることが望ましい。
【０００３】
この問題は、調整可能な椅子の背もたれの角度により部分的に軽減されるだけである。多くの車、バス、電車又は飛行機において、椅子の背もたれは今までのところ、人が快適な睡眠位置をとるために、十分よく支えるように後方に傾けることができない。後方の椅子の列に座るかもしれない他の乗客への配慮はまた、椅子の背もたれを十分に後方に傾かせることを制限する。
【０００４】
頭部を十分に支えるために、安定した又は膨張可能な蹄鉄形状の枕又はカラーを用いることが知られている。このような枕又はカラーにはまた、例えば、特許文献ＵＳ４，０３１，５７８、ＵＳ４，６１７，６９１，ＵＳ５，４７１，６９０及びＵＳ６，１３５，５６０に記載されているような他の形態が与えられてもよい。これらいくつかの解決法における欠点は、頭部が急に前方に垂れてしまい、これが人を起こしてしまうことである。喉の周りにある枕はまた、不快なものと感じられるかもしれない。
【０００５】
いくつかの部分で人の頭部と接触する種々に形成された支持装置を用いて頭部を安定させうることが知られている。特許文献ＵＳ３，２８５，６５８は、人のあご部分あたりを通るあご紐に言及し、頭部の各側面は椅子の上部に固定されている。この解決法にはいくつかの欠点がある。頭部を左右に回すことが困難である。この解決法では人が椅子のシートを前後に動かせなくなり、あご紐は人の頭部よりも上の高さで固定できる高さの椅子の背もたれを前提とする。特許文献ＵＳ４，１６１，９４６は人の額にあるループ又は紐に言及し、首の後部のファスナ装置に接続され、ここで首の後部のファスナ装置は人の胸の突き当てに支持される。この解決法には、不満足で不快、かつ人が首を左右に回すことができないという欠点がある。特許文献ＵＳ７，００４，５４５は、人の背中と背もたれとの間にゆるく置かれ、背もたれに対する人の体重又は圧力によってそこに保持される支持部からなるヘッドレストを記載している。人の頭部の周りを通り、かつそれを支持部に対して正しい位置に固定して保持するバンドは支持部の上部に固定される。この解決法には、不使用時に、支持部が比較的長く、人の荷物の空間を奪うという欠点がある。人が彼又は彼女を椅子のシート上で前後に配置する機会も制限されている。特許文献ＵＳ６，３０１，７１６は、特に身体障害者のためのヘッドレストを記載している。このヘッドレストはヘッドバンドを具えており、これは椅子の背もたれに固定されているか、あるいは同様に紐でヘッドバンドのネック部分に固定されている。このレストは頭部に大きな自由度を与えるように設計されており、快適に眠りたい人にとっては適当ではない。
【０００６】
特許文献ＵＳ６，２６６，８２５は２つの部分のヘッドレストを記載している。第１の部分は椅子の背もたれの周りに配置されたチェアハーネスからなり、ベロクロのようなものを設けたチェアハーネスの部分により自身を固定する。チェアハーネスは比較的柔軟性がない。第２の部分は人の額の上に導かれる比較的柔軟性がないネックハーネスからなる。このネックハーネスは、その端部にチェアハーネスの正面部分に固定されるベロクロのような固定手段を設ける。ネックハーネスはこのようにユーザの頭部全周と接触していない。このネックハーネスはネックハーネスの額部分において、クッション形態の緩衝部材を設けてもよい。シートハーネスはその正面部分にネッククッションを設けてもよい。この解決法には、人が彼又は彼女の頭部を左右に回す可能性を制限するという欠点がある。人はネックハーネスが位置から出ることなく、彼又は彼女を椅子のシート上で前後にずらすことができず、これによりその支持機能を失うこととなる。この解決法はまた、椅子のハーネスを十分に高く固定するために、十分に高い椅子の背もたれを前提とする。
【０００７】
特許文献ＧＢ２，０６７，８９３、ＷＯ２００９／１０８８２３及びＵＳ４，７０７，０３１はヘッドバンド及びシートバンドを有するヘッドレストの様々な実施形態を記載しており、ヘッドバンドはヘッドバンドの首部分のシートバンドに固定されている。ＧＢ２，０６７，８９３はシートバンドが弾性バンドを設けることを示しており、シートバンドを椅子の背もたれに適合させるために共に結ばれてもよい。ヘッドバンドのネック部分はリベット又はステープルでシートバンドに固定されている。代替的な実施形態において、固定はシートバンドとヘッドバンドとの間の短いロープにより構成されてもよい。ヘッドバンドは、ベロクロのような取り付け材料が設けられる端部部分により長さを調節することができる。ヘッドレストのシートバンド及びヘッドバンドは紙のような非柔軟性材料からできており、廃棄には好適である。ＷＯ２００９／１０８８２３は、椅子の背もたれの周りに固定されているシートバンドを示している。このシートバンドは、その正面部分に取り付けられた金属板が設けられている。柔軟なヘッドバンドはそのネック部分に磁石が設けられている。この磁石は金属板と協働して頭部がしっかりと保持される。ＵＳ４，７０７，０３１は、椅子の背もたれの周りに固定されるシートバンドを示しており、バックルによって長さが調節される。ヘッドバンドはシートバンドの正面部分に縫い付けることにより固定されたそのネック部分にある。ヘッドバンドの長さは、ベロクロのような固定手段により調節されてもよい。頭部の側方への動きをさらに安定させるために、ヘッドレストはネックバンドを設け、頭部の何れかの側面がヘッドバンドの額部分に固定され、かつチェアバンドの正面部分に固定されている。代替的な実施形態において、特に子供用のチャイルドカーシートにおいて、シートバンドはその正面部分にベロクロが設けられており、ヘッドバンドは椅子のシートのベロクロに相補的なベロクロが設けられたそのネック部分にあり、こうしてヘッドバンドがそのネック部分及びシートバンドの正面部分に取り外し可能に固定されている。これらの解決法を用いる欠点の１つは、頭部が１か所にほぼ固定されることである。これは眠っている人が様々な身体位置をとりたがる、例えば身体を一方から他方に回したがるので、長時間経つと不快に感じてしまう。別の欠点は、ヘッドバンドのネック部分に固定されたヘッドバンドが、眠っている人が椅子のシートクッション上を前方にゆっくり進むと、頭部の後部上を滑り上がり、頭部から外れてしまうことである。これにより、ヘッドバンドはもはや頭部を支えなくなる。特許文献ＵＳ６，６０７，２４５は、限定されてはいるが、頭部のための柔軟な支えを与えるヘッドレストを示している。これは、シートバンド、ヘッドバンド及びヘッドバンドの額部分をシートバンドと接続する２つのネックバンドにより構成されるヘッドレストより実現される。シートバンドの長さが、バックルにより椅子の背もたれに調節されてもよいし、シートバンドが柔軟であってもよい。ヘッドバンドはユーザの頭部の周りに配置されている。このヘッドバンドは柔軟、かつ連続するバンドとして形成されてもよいし、長さを調節するために端部に固定手段を設けてもよい。２つのネックバンドはさらにヘッドレストを構成し、一方は頭部の側面にある。ネックバンドは柔軟であってもよいし、ヘッドバンドの額部分に縫い付けて固定されてもよいし、ベロクロにより解放可能に固定されてもよい。ネックバンドはベロクロのような手段によりシートバンドに解放可能に固定されている。ネックバンドが柔軟であるため、頭部はいくらか動かすことができるとともに、シートバンドがネックバンドの固定点を変えることで、ネックバンドの張りを調節することにより、頭部の自由度を調節することができる。ヘッドレストは少なくとも２つの部分、シートバンド及びヘッドバンドとネックバンドを組み合わせたものからなるか、２つのネックバンドがヘッドバンドに解放可能に固定されている場合、４つの部分を有する。
【０００８】
特許文献ＵＳ６，６０７，２４５は、このように他の従来技術により解決されない快適性の問題のいくつかを克服するヘッドレストを記載しているが、ユーザが快適な眠りにつくための十分な頭部の動きの自由度を有してはいない。人は頭部を一片側に回すとき、ネックバンドの柔軟性を克服しなければならず、ネックバンドは頭部を最初の位置に引き戻すこととなる。ベロクロは素早く、正確な固定と調節には十分に好ましいものであるが、いくつか欠点もある。ベロクロのフック部分は、フック部分の固定する性質を時間と共に減少させる繊維で満たされている。ヘッドレストが、例えばバックに詰め込まれているとき、フック部分がループ部分に接続されているか、あるいはフック部分が自身を衣服やバック自体の繊維のような他の布地に引っ掛けないように覆われることができるよう、パッキングの際に配慮が必要とされる。ベロクロのフック部分及びループ部分は非柔軟性材料からなり、これによりベロクロを設けたバンドの可変長を減じる。様々な部分が紛失するかもしれないので、ヘッドレストがいくつかの部品からなること、あるいは旅の終了後にシートが不要となったとき、これらの部品の１つが残されるということも欠点である。
【０００９】
眠りたいと思う人はしばしば、優れたヘッドレストに加えて、光や雑音からの遮蔽が見られると、睡眠の快適性が向上したと感じる。これらの目的のために、異なるデザインのアイマスク、イヤプラグ及びイヤマフが知られている。特許文献ＵＳ４，７０７，０３１はヘッドバンドが目の上に置かれることを示すのに対し、特許文献ＵＳ６，６０７，２４５はヘッドバンドの額部分の内側に固定され、下に回転させて目を覆うことができる１片の布を示している。
【００１０】
本発明の目的は、従来技術の不都合の少なくとも１つを改善すること又は減らすこと、あるいは少なくとも従来技術に変わる新規な代替物を得ることである。
【００１１】
この目的は以下の記載及び続く請求の範囲に開示された実施形態により達成される。
【００１２】
本発明の第１の目的は、まっすぐな位置で座っている旅行者の首及び喉の筋肉を良好に楽にするヘッドレストを得ることである。第２の目的は、前記ヘッドレストが、頭部が不意に前方に垂れないことを確実にすることである。第３の目的は、人が、着座位置を変化させる、例えば彼又は彼女が椅子の背もたれを容易に前後させたり、身体を左右に回したり、頭部を左右に回したりすることができるように、椅子に動きの自由度を持たせることである。第４の目的は、前記ヘッドレストが、不使用時にスペースを取らないことである。第５の目的は、それが容易に取り外されることである。第６の目的は、光と音の遮蔽を組み込むことができるようにそれを構成することである。
【００１３】
座っている人とは、以下の、例えば、車、バス、飛行機及び船の椅子のような座席装置に座っている人を意味するが、これらに限定されない。座席装置はまた、椅子のシート、ベンチ、クッション、袋状及び吊りシートのようなものを意味する。椅子の背もたれとは、椅子の背もたれ、ネックレスト及び壁クッションのようなものを意味するが、これらに限定されない。椅子の背もたれは座席装置とは独立して配置されてもよい。
【００１４】
本発明の第１の態様は、座っている人の首や喉を楽にするヘッドレストに関し、前記ヘッドレストは、人の頭部の周囲に導かれうるように配置されるヘッドバンドと、椅子の背もたれの一部に固定されうるように配置されるシートバンドと、前記ヘッドバンドの額部分と前記シートバンドとを接続するネックバンドであって、前記ヘッドバンドが前記ネックバンドの長手方向に可動に配置されるネックバンドとを具えることを特徴とする。このシートバンドは柔軟な材料で構成されてもよい。この柔軟な材料は弾性型の材料であってもよい。シートバンドはリング型であってもよい。これによりシートバンドの長さが、椅子の背もたれ又はネックレストの周囲に適合されるバックルのような手段によって調整されることのない、様々な寸法の椅子の背もたれ又は前記ネックレストを装着できるという利点を有する。シートバンドは摩擦材料を設けた椅子の背もたれに面する部分にあってもよい。これはシートバンドが椅子の背もたれの長手方向に配置されないという利点を有する。シートバンドは水平方向に配置されてもいない。これによりシートバンドはヘッドレストに安定した固定を形成する。摩擦材料は、それ自体が周知のタイプのゴム質の材料で構成されてもよい。このゴム質の材料はシートバンドに糊を用いて設けられてもよいし、別の周知の方法で設けられてもよい。
【００１５】
ヘッドバンドは柔軟な材料で構成されてもよい。一実施形態において、柔軟な材料は弾性型の材料で構成されてもよいし、柔軟な材料は羊毛、木綿又は合成フリースのような別の織物材料、又は周知のタイプの繊維の混合物で囲まれてもよい。これによりヘッドバンドを不快に感じることなく頭部を囲んで置くことができるという利点を有する。特に利点なことは、ヘッドバンドが人の目の弓形部分の上に配置されてもよいことである。これはヘッドバンドが柔軟な繊維材料で構成されているので、快適な方法でなされうる。ヘッドバンドが頭部にうまく取り付けられ、人が彼又は彼女が椅子のシートを前方に滑ったとしても頭部から外れないという利点がある。
【００１６】
柔軟な材料でネックバンドを構成してもよい。これにはネックバンドの固定により頭部が前方に垂れるのを防ぐと同時に、わずかに前方に動くことができるという利点がある。ネックバンドは１つの連続したバンドから構成されてもよく、実施位置でのネックバンドの第１の端部は、頭部の第１の側のシートバンドに固定されてもよいし、ネックバンドの第２の端部は、頭部の第２の側のシートバンドに固定されてもよい。ネックバンド及びシートバンドが１つのユニットを形成するという利点がある。ネックバンドは縫い付けることによりシートバンドに固定されてもよい。
【００１７】
シートバンド、ヘッドバンド又はネックバンドの柔軟な材料は、エラスタン又はライクラ（登録商標）、又はそれ自体が周知のタイプの柔軟な織物繊維からなる織物混合物から構成されてもよい。
【００１８】
ヘッドバンドは、ネックバンドを収納するために配置されるガイドを設けたその額部分にあってもよい。ガイドは、ヘッドバンドがネックバンドの長手方向でネックバンドに沿って配置できるように配置されてもよい。一実施形態においてガイドは、ヘッドバンドの額部分に２つのスリットのように形成されてもよい。ネックバンドはスリットを通って装着されもよい。代替的な実施形態において、ガイドはパイピングとして形成されてもよい。このパイピングはヘッドバンドの額部分に縫い付けられた１片の織物で構成されてもよく、これによりネックバンドはヘッドバンドと縫い付けられた１片の織物との間のパイピングを通って装着されうる。代替的な実施形態において、パイピングはヘッドバンド及びネックバンド双方の周りにある緩いスリーブとして形成されてもよい。ガイドはさらなる代替的な実施形態において、プラスチック又は金属製のバックルで構成されてもよい。このバックルはヘッドバンドの上に縫い付けられてもよいし、別の周知の方法で固定されてもよい。バックルはネックバンドがそこを通って装着されてもよいスリットを設けてもよい。バックルはまた、さらなるスリットを設けてもよく、バックルがヘッドバンド及びネックバンド双方に関して置き換え可能であるようにヘッドバンドがそこを通って装着される。これはヘッドバンドの額部分がネックバンドと接触したまま、人がネックバンドによる回転する動きに妨げられることなく頭部を側方に回すことができ、これにより頭部が側方又は前方に垂れないようにするという利点がある。ヘッドバンド、ネックバンド及びシートバンドが一緒になって１つのユニットを構成するというさらなる利点がある。当業者は、ヘッドバンドを収納するために配置されたガイドを設けたネックバンドがまた、ネックバンドに取り外し可能に固定されるヘッドバンドの目的を達成すると解するであろう。
【００１９】
ヘッドバンドの額部分には、旅行の快適性を向上させる、それ自体が周知のタイプのアイマスクが設けられてもよい。このアイマスクは固定又は取り外しが可能であり、さらに必要に応じて上下に傾けることが可能である。それはまた、ヘッドレストがさらに、それ自体が周知のタイプのイヤプラグ又はイヤマフのような遮音のための手段を設けることができると有利かもしれない。イヤプラグは、例えば、紐によってヘッドレストに固定されてもよい。
【００２０】
本発明の第２の態様は、上述のヘッドレストを用いることにより座っている人の首や喉を楽にするための方法に関する。この方法は、シートバンドを椅子の背もたれの周りに配置するステップと、ヘッドバンドの額部分が、人の目の弓形部分の上に配置されるようにヘッドバンドを人の頭部の周りに配置するステップとを含む。これにはヘッドレストがバックル又はベロクロのような長さ調節手段を用いることなく所望の場所に素早く配置されるという利点がある。人が椅子のシート上を前方に動くとき、人の目の弓形部分の上のヘッドバンドの位置によりヘッドバンドが頭部から滑って外れることを防ぐというさらなる利点がある。
【図面の簡単な説明】
【００２１】
以下には、添付の図面に示された好適な実施形態の例が記載されており、
【図１】図１は、シートバックに固定された実施位置において、正面から斜めに見たヘッドレストの概略図を示す。
【図２】図２は、座っている人の頭部に固定された図１に示されたヘッドレストを示す。
【発明を実施するための形態】
【００２２】
図において、参照番号１は本発明によるヘッドレストを示す。図１において、ヘッドレスト１は正面から斜めに示されている。ヘッドバンド２は人の頭部４の周りにある。図において、ヘッドバンド２は本発明を明確にするために、ほぼ円形に示されている。しかしながら使用時にヘッドバンド２は頭部４の周りを緊密に囲むことを理解されたい。ライクラ（登録商標）、エラスタン、ポリアミド又は柔軟な織物繊維を含む繊維混合物のような、それ自体が周知のタイプの長さが柔軟な少なくとも１の部分を設けてもよい。このヘッドバンド２はこのように快適に位置するように適用されて頭部４の周りを囲み、かつ様々な寸法の頭部４に適用される。
【００２３】
ヘッドレスト１は、ヘッドバンド２を頭部４の両側のシートバンド５に接続させるネックバンド３を設ける。ネックバンド３は、弾性的な、又はライクラ（登録商標）、エラスタン、ポリアミド又は柔軟な織物繊維を含む繊維混合物のような柔軟な織物材料により構成される、それ自体が周知のタイプの長さが柔軟な少なくとも１つの部分を設けてもよい。このネックバンド３は、長さ調節バックルのような図示されない長さ調節装置の手段によって長さを調節することができる。代替的な実施形態において、長さ調節装置はフックアンドループ、例えば、周知のタイプのベロクロが配置されたネックバンドの一部であってもよい。
【００２４】
シートバンド５は椅子６の背もたれの周りに連続して導かれる。椅子の背もたれ６に対して置かれる位置にあるシートバンド５が、例えば、ゴム状の材料のような、椅子の背もたれ６に対して密着性を増加させた摩擦材料を設ける場合、利点であるかもしれない。これによりシートバンド５が椅子の背もたれ６に対して動かなくなる。
【００２５】
ヘッドバンド２には、ヘッドバンド２がネックバンド３に可動に留められ、かつ矢印で示されるようなネックバンド３の長手方向でネックバンド３に沿って移動できるように、ネックバンド３を収納するように配置されるガイド２４が設けられている。ヘッドバンド２に固定されるスリーブであって、ネックバンド３がガイド２４を通って装着されるスリーブがガイド２４を構成してもよい。代替的な実施形態において、パイピングはガイド２４を構成し、ヘッドバンド２の外側に面する側は、パイピングの一方の内側部分を構成する。さらに別の実施形態（図示せず）において、ガイド２４はヘッドバンド２の額部分２２に２つのスリットで形成され、このようにしてネックバンド３はスリットを通って装着される。さらに代替的な実施形態において、ガイドはプラスチック又は金属のバックル（図示せず）によって構成されてもよい。このバックルは、ヘッドバンド２の額部分２２に縫い付けられてもよいし、別の周知の方法で固定されてもよい。このバックルは、ネックバンド３がそこを通って装着されうるスリットを設けてもよい。このバックルはまた、バックルがヘッドバンド２とネックバンド３の双方に相対的に可動であるようにヘッドバンド２がそこを通って装着されるさらなるスリットを設けてもよい。当業者はさらなる代替的な実施形態において、上述の１に対応する方法でヘッドバンド２を収納するために配置されるガイド２４を設けてもよいことを解するであろう。このガイド２４は頭部４が支えを失うことなく、人がシートを前後に動かすことができることを確実にする。ヘッドバンド２はさらに、旅の快適性を向上させる図示しないクッション又はパッド材料を設けてもよい。
【００２６】
図２に示されているように、ヘッドバンド２は人８の目の弓形部分の上に配置されてもよい。このヘッドバンド２は、ヘッドバンド２が人の目の弓形部分から滑って外れないことに加えて、快適な方法でこのようにできる柔軟な材料で構成されている。これはヘッドバンドが頭部４から滑って外れたり、弛んだりすることなく人８にさらなる動きの自由度をもたらす。
【図１】
0005637546.tif 000002
【図２】
0005637546.tif 000003